(57)【要約】【課題】自動取引装置の運用時における意図しない電源スイッチの操作を防止する手段を提供する。【解決手段】自動取引装置が、筐体と、前記筐体に引出し可能に収納されたユニットと、前記筐体に設けられた電源スイッチと、前記電源スイッチを覆うカバー部材と、を備え、前記筐体に前記ユニットを収納するときに、前記カバー部材の開作動を制限する。【選択図】        図１
2016224876.tif 000002
【特許請求の範囲】
【請求項１】
筐体と、
前記筐体に引出し可能に収納されたユニットと、
前記筐体に設けられた電源スイッチと、
前記電源スイッチを覆うカバー部材と、を備え、
前記筐体に前記ユニットを収納するときに、前記カバー部材の開作動を制限することを特徴とする自動取引装置。
【請求項２】
請求項１に記載の自動取引装置において、
前記電源スイッチを、前記筐体の外側に向けて取付け、
前記カバー部材を、前記電源スイッチの取付面に沿って回動可能に構成したことを特徴とする自動取引装置。
【請求項３】
請求項２に記載の自動取引装置において、
前記ユニットに、前記筐体の外側に突出する突出部を設け、
前記カバー部材を、前記突出部の下方に配置し、
前記ユニットを収納したときに、前記突出部によって前記カバー部材の開作動を制限することを特徴とする自動取引装置。
【請求項４】
請求項３に記載の自動取引装置において、
前記カバー部材を開方向に付勢するバネ部材を設け、
前記ユニットを引出すときに、前記バネ部材によって前記カバー部材を開作動させ、
前記ユニットを収納するときに、前記突起部によって前記カバー部材を閉作動させることを特徴とする自動取引装置。
【請求項５】
請求項２に記載の自動取引装置において、
前記ユニットに、前記ユニットの引出し時に解錠する錠を設けると共に、前記錠に連動して回動する押え部材を設け、
前記ユニットの収納状態のときに、前記押え部材の先端を、前記カバー部材に設けた係合穴に係合させて前記カバー部材の開作動を制限することを特徴とする自動取引装置。
【請求項６】
請求項５に記載の自動取引装置において、
前記ユニットを引出すときの前記錠の解錠操作によって前記カバー部材の開作動を可能にすることを特徴とする自動取引装置。
【発明の詳細な説明】
【技術分野】
【０００１】
本発明は、金融機関に設置された現金処理装置や紙幣処理装置等の自動取引装置に関する。
【背景技術】
【０００２】
従来の金融機関の営業店に設置された紙幣処理装置は、装置の筺体に引出し可能に収納されたユニットを有し、金融機関の職員または顧客による操作によって紙幣の取引を行っており、職員により保守を行う場合は、装置に設けた開閉扉を解錠し、開閉扉を開放して筺体内に収納されたユニットを引出し、保守作業の終了時にはユニットを筺体内に押込んで収納している（例えば、特許文献１参照。）。
【先行技術文献】
【特許文献】
【０００３】
【特許文献１】特開２０１４−１２３２１７号公報（段落００３５、００４３−００４４、第４図）
【発明の概要】
【発明が解決しようとする課題】
【０００４】
一般に、紙幣処理装置等の自動取引装置においては、始業時等に電源を投入して運用を開始し、保守等を行う場合は、必要に応じて電源の投入、遮断を行っている。
このような、電源を投入、遮断を行うための電源スイッチは、通常、装置筐体の側面等に露出した状態で設けられているため、銀行等の金融機関のオペレータや保守員等のユニットへのアクセス資格を有する特定の内部担当者が、電源スイッチを意図的に操作する場合には、問題が生ずることはない。
【０００５】
しかしながら、上述した従来の技術のように、一般の顧客等の外部の人が自動取引装置を操作して取引を行う場合には、アクセス資格を有していない顧客等であっても電源スイッチに触れることが可能であり、自動取引装置の運用時におけるユニットの処理動作中に電源が遮断されると、故障や動作不良の要因になるという問題がある。
また、意図しないときに電源が遮断されると、自動取引装置の運用が継続できなくなり、運用効率が低下するという問題がある。
本発明は、上記の問題点を解決するためになされたもので、自動取引装置の運用時における意図しない電源スイッチの操作を防止する手段を提供することを目的とする。
【課題を解決するための手段】
【０００６】
本発明は、上記課題を解決するために、自動取引装置が、筐体と、前記筐体に引出し可能に収納されたユニットと、前記筐体に設けられた電源スイッチと、前記電源スイッチを覆うカバー部材と、を備え、前記筐体に前記ユニットを収納するときに、前記カバー部材の開作動を制限することを特徴とする。
【発明の効果】
【０００７】
これにより、本発明は、自動取引装置の運用時における電源スイッチの操作ができなくなり、意図しない電源スイッチの操作を防止することができるという効果が得られる。
【図面の簡単な説明】
【０００８】
【図１】実施例１の紙幣処理装置の外観を示す説明図（（ａ）は引出状態、（ｂ）は収納状態）
【図２】実施例１の紙幣処理装置の正面側上部を示す拡大説明図（（ａ）は側面図、（ｂ）は正面図）
【図３】実施例２の紙幣処理装置の外観を示す説明図（（ａ）は引出状態、（ｂ）は収納状態）
【図４】実施例２の紙幣処理装置を示す説明図（（ａ）は側面図、（ｂ）は正面図）
【発明を実施するための形態】
【０００９】
以下に、図面を参照して本発明による自動取引装置の実施例について説明する。
【実施例１】
【００１０】
以下に、図１および図２を用いて本実施例の紙幣処理装置について説明する。
本実施例の自動取引装置としての紙幣処理装置１は、図１（ａ）に示すように、筐体２内に、ユニットとしての紙幣ユニット３が引出し可能に収納されている。
紙幣処理装置１は、銀行等の金融機関の営業店の顧客に対する応対窓口やＡＴＭコーナ等の営業フロア、百貨店やスーパマーケット等の商業施設の営業店のバックヤードやＡＴＭブース等の営業フロア等の営業店内の設置場所に設置された、紙幣の入出金を取扱う自動取引装置であって、顧客に出金する紙幣や、店員等に釣銭準備金として出金する紙幣等の出金処理や、顧客が預入れる紙幣や営業店の売上金紙幣等の入金処理等を行うために用いられる。
【００１１】
筐体２は、上板２ａ、底板２ｂ、両側の側板２ｃ、裏板２ｄからなる正面側が開放された箱状部材であって、その両側の側板２ｃの正面側の上部には、切欠部４が形成されている。
紙幣ユニット３は、スライドレール５によって、筺体２から図１（ａ）に示す矢印Ａ方向に引出され、矢印Ｂ方向に押込まれて収納されるよう構成され、その正面側の上部には、下方が開放された箱状のパネル部材としてのフロントパネル６が設けられている。
【００１２】
また、紙幣ユニット３の正面板３ａには、紙幣ユニット３を筐体２から引出すときに、銀行等の金融機関のオペレータや保守員等のアクセス資格を有する特定の内部担当者（有資格者という。）が紙幣処理装置１を鍵により解錠する錠７が設けられており、紙幣処理装置１は錠７の施錠によって内部へのアクセスができなくなる。
【００１３】
フロントパネル６は、紙幣ユニット３を筐体２内に収納した収納状態においては、図１（ｂ）に示すように、筺体２に形成された切欠部４を塞ぐように入り込み、その両側の側部には、下面を設けた突出部６ａが筺体２の側板２ｃから外側に突出するよう設けられている。
また、フロントパネル６は、正面側が開口するように開閉可能に構成されており、その下方には紙幣の入金口や出金口等が配置されている。
【００１４】
筺体２の一方の側板２ｃの内側には、図１（ａ）に示すように、筺体２に電力を供給する電源部８がネジ等の取付手段で取付けられている。
また、筺体２の一方の側板２ｃには、電源部８の電源スイッチ９を外側に露出させるための開口部１０が形成されている。
電源部８は、電線等により紙幣ユニット３と電気的に接続しており、紙幣ユニット３内の各部へ電力を供給して、媒体としての紙幣の処理動作を可能にしている。
【００１５】
電源スイッチ９は、押釦式またはシーソー式等の電気的な流れの切替部材であって、ＯＮにより電力を供給し、ＯＦＦにより電力を遮断するように構成され、筺体２の一方の側板２ｃに設けられている。
本実施例の筺体２の一方の側板２ｃの外側の面（側面という。）には、図１、図２に示すように、電源スイッチ９の取付面である側面に沿って回動する、カバー部材としてのスイッチカバー１２が回動可能に取付けられている。
【００１６】
スイッチカバー１２は、閉作動させて電源スイッチ９を覆う板状部材であって、図２（ａ）に２点鎖線で示す開位置と、実線で示す閉位置との略９０度の間を、図１（ａ）に示す矢印Ｃ方向に回動するよう構成されている。
また、筺体２の一方の側板２ｃの、スイッチカバー１２の閉位置における上部の正面側の端部に対応する位置には、スイッチカバー１２の回動中心となる回転支点１２ａが立設されている。
【００１７】
本実施例のスイッチカバー１２は、図２（ｂ）に示すように、スイッチカバー１２の紙幣ユニット３側の面に立設された支持ポスト１２ｂと電源部８の外箱の上面とに支持されたトーションスプリング等のバネ部材１３によって、スイッチカバー１２の開作動方向（図２（ａ）に示す矢印Ｄ方向）に付勢されている。
また、筐体２の一方の側板２ｃには、スイッチカバー１２の係止面１２ｃを係止するための係止部材としてのストッパ１４が立設されており、スイッチカバー１２はストッパ１４に係止された状態で開位置に停止する。
【００１８】
上記の構成の作用について説明する。
本実施例の紙幣処理装置１は、上記した銀行等の営業店の設置場所に設置され、始業時等に銀行の保守員等の有資格者によって電源が投入される。
始業時等において電源を投入する場合、有資格者は、所持する鍵によって紙幣ユニット３の正面板３ａに設けられた紙幣処理装置１を施錠状態とした錠７を回して解錠し、筺体２内に収納されている紙幣ユニット３を正面側から外側に引出す。
【００１９】
紙幣ユニット３を引出す前の収納状態（図１（ｂ）参照）において、本実施例のスイッチカバー１２は、バネ部材１３による開作動方向への付勢力により、係止面１２ｃの回転支点１２ａの反対側の端部である当接部がフロントカバー６の突出部６ａの下面に当接して、閉位置に停止している。
有資格者が紙幣ユニット３を引出すために紙幣ユニット３を正面側に引出し始めると、それに伴って、スイッチカバー１２がバネ部材１３の付勢力により、当接部を突出部６ａの下面に摺接させながら回転支点１２ａを中心に開作動方向に回動する。
【００２０】
そして、紙幣ユニット３が引出された引出状態（図１（ａ）参照）になると、スイッチカバー１２の係止面１２ｃの回転支点１２ａ側の端部である係止部がストッパ１４に係止され、開位置に停止する。
このとき、筺体２の一方の側板２ｃの開口部１０に取付けられた電源スイッチ９が露出して、電源スイッチ９のＯＮ／ＯＦＦ操作が可能になり、有資格者は、電源スイッチ９をＯＮ操作して紙幣処理装置１に電源を投入する。
【００２１】
電源の投入作業が終了すると、有資格者は紙幣ユニット３を正面側から筺体２内に押込んで、紙幣ユニット３を収納し、所持する鍵によって紙幣処理装置１を解錠状態とした錠７を回して施錠し、紙幣処理装置１の運用を開始する。
有資格者が紙幣ユニット３を押込むために紙幣ユニット３を正面側から裏板２ｄ側に向かって押込み始めると、それに伴って、スイッチカバー１２がフロントパネル６の突出部６ａの裏板２ｄ側の面（裏面という。）と下面との角部によって押圧されながら、バネ部材１３の付勢力に抗して回転支点１２ａを中心に閉作動方向に回動する。
【００２２】
そして、紙幣ユニット３が筐体２内に押込まれた収納状態（図１（ｂ）参照）になると、スイッチカバー１２の係止面１２ｃの当接部がフロントパネル６の突出部６ａの下面に当接した状態で開位置に停止する。
これにより、本実施例の電源スイッチ９は、スイッチカバー１２により外側から隔離され、顧客等の、紙幣ユニット３へのアクセス資格を有していない一般人は、電源スイッチ９に触れることができないため、意図しない電源スイッチ９の操作による電源の遮断または投入が防止される。
【００２３】
また、スイッチカバー１２の開閉動作を、紙幣ユニット３の出し入れによって自動的に行わせるので、電源投入時におけるスイッチカバー１２の開作業や、電源遮断時におけるスイッチカバー１２の閉作業を省略することができ、電源スイッチ９の操作を行う有資格者の負担を軽減することができると共に、電源スイッチ９の覆い忘れを防止することができる。
【００２４】
更に、本実施例のスイッチカバー１２は、閉位置において、フロントパネル６の突出部６ａの下面により開作動方向への回動が制限され、閉作動方向への回動はストッパ１４により制限されているので、スイッチカバー１２に手をつく等により比較的強い外力が加わったとしても、スイッチカバー１２が回動してしまうことはなく、意図しない電源スイッチ９の操作による電源の遮断または投入が防止される。
【００２５】
この場合に、フロントパネル６が取引のために開放されていたとしても、本実施例のフロントパネル６は正面側が開口するように構成されているので、フロントパネル６の突出部６ａの裏面に、スイッチカバー１２の当接部が当接して開作動方向への回動が制限されため、紙幣処理装置１の処理動作中においても、意図しない電源スイッチ９の操作による電源の遮断または投入が防止される。
【００２６】
終業時等において電源を遮断する場合、有資格者は、所持する鍵によって紙幣処理装置１を施錠状態とした錠７を回して解錠し、筺体２内に収納されている紙幣ユニット３を正面側から外側に引出す。
これにより、上記したように、本実施例のスイッチカバー１２が自動的に開作動し、開位置に停止して、電源スイッチ９の操作が可能になり、有資格者が電源スイッチ９をＯＦＦ操作して紙幣処理装置１の電源を遮断する。
【００２７】
電源の遮断作業が終了すると、有資格者は、紙幣ユニット３を正面側から押込んで、紙幣ユニット３を筺体２内に収納し、所持する鍵によって紙幣処理装置１を解錠状態とした錠７を回して施錠し、紙幣処理装置１の運用を停止させる。
このとき、上記したように、本実施例のスイッチカバー１２は自動的に閉作動して閉位置に停止し、意図しない電源スイッチ９の操作による電源の遮断または投入が防止される。
【００２８】
なお、本実施例の紙幣処理装置１のジャム発生時における保守作業や、紙幣の補充作業または回収作業を行う場合は、錠７の鍵を所持する有資格者が、周囲への顧客等の一般人の立入りを制限して作業を行うので、意図しない電源スイッチ９の操作による電源の遮断または投入が行われることはない。
【００２９】
以上説明したように、本実施例では、筐体２から紙幣ユニット３を引出すときの引出し作業によって、バネ部材１３によりスイッチカバー１２を自動的に開作動させ、筐体２に紙幣ユニット３を押込んで収納するときの収納作業によって、スイッチカバー１２を自動的に閉作動させてスイッチカバー１２の開作動を制限するので、一般人が紙幣処理装置１の運用時における電源スイッチ９の操作ができなくなり、意図しない電源スイッチ９の操作を防止することができると共に、紙幣処理装置１の運用効率の向上を図ることができる。
【００３０】
また、顧客等の一般人が電源スイッチ９に触れないように、スイッチカバー１２を筐体２に施錠するための特別な鍵を設ける必要がなくなり、簡素な構成のスイッチカバー１２によって紙幣処理装置１の低コスト化を図ることができる。
【実施例２】
【００３１】
以下に、図３および図４を用いて本実施例の紙幣処理装置について説明する。なお上記実施例１と同様の部分は、同一の符号を付してその説明を省略する。
本実施例の筺体２の一方の側板２ｃには、図３（ａ）に示すように、電源部８の電源スイッチ９を外側に露出させるための第１の開口部２０ａが形成され、その下方には、押え部材としての押え具２１の先端を挿通させるための第２の開口部２０ｂが形成されている。
【００３２】
押え具２１は、図３（ａ）に示すように、「Ｌ」字状の係合部２１ａと錠７との連結部２１ｂ等からなり、図４（ｂ）に実線で示す係合位置と、２点鎖線で示す退避位置との間を回動する。
本実施例のカバー部材としてのスイッチカバー２２は、図３、図４に示すように、筺体２の一方の側板２ｃの外側に、電源スイッチ９の取付面である側面に沿って回動可能に取付けられている。
【００３３】
スイッチカバー２２は、上記実施例１と同様に、閉作動させて電源スイッチ９を覆う板状部材であって、図３（ａ）に示した開位置と、図３（ｂ）に示した閉位置との略１８０度の間を、図３（ａ）に示す矢印Ｅ方向に回動するよう構成されている。
また、筺体２の一方の側板２ｃの、スイッチカバー２２の閉位置における上部の中央部に対応する位置には、スイッチカバー２２の回動中心となる回転支点２２ａが立設されている。
【００３４】
本実施例のスイッチカバー２２には、その回転支点２２ａの閉位置における下方の正面側の端部に、押え具２１の先端を係合させるための係合穴２２ｂが形成されている（図４（ａ）参照）。
本実施例の押え具２１は、図４（ｂ）に示す矢印Ｆ方向への錠７の施錠操作に連動して、その係合部２１ａの先端が、第２の開口部２０ｂを介してスイッチカバー２２の係合穴２２ｂに係合する係合位置に回動してスイッチカバー２２の開作動を制限する。
【００３５】
また、矢印Ｆと反対方向への錠７の解錠操作に連動して、スイッチカバー２２の係合穴２２ｂおよび第２の開口部２０ｂから退避した退避位置に回動し、スイッチカバー２２の開閉を可能にする。
上記の構成の作用について説明する。
本実施例の紙幣処理装置１は、上記実施例１と同様の設置場所に設置され、始業時等に有資格者によって電源が投入される。
【００３６】
始業時等において電源を投入する場合、有資格者は、所持する鍵によって紙幣ユニット３の正面板３ａに設けられた紙幣処理装置１を施錠状態とした錠７を回して解錠し、筺体２内に収納されている紙幣ユニット３の正面側から外側への引出しを可能にする。
この紙幣ユニット３を引出す前の収納状態（図３（ｂ）参照）において、本実施例の押え具２１は、その係合部２１ａの先端がスイッチカバー２２の係合穴２２ｂに係合した、図４（ｂ）に実線で示した係合位置に、施錠状態の錠７により回動をロックされた状態で停止しており、スイッチカバー２２は閉位置に停止している。
【００３７】
有資格者が紙幣ユニット３を引出すために、所持する鍵によって錠７の解錠操作をおこなうと、解錠操作に伴う回動力によって押え具２１の係合部２１ａが連結部２１ｂを介して退避位置に回動し、スイッチカバー２２の手動による開作動が可能になる。
有資格者は、スイッチカバー２２を、手動により閉位置に回動させ、筺体２の一方の側板２ｃの第１の開口部２０ａに取付けられた電源スイッチ９を露出させて、電源スイッチ９のＯＮ／ＯＦＦ操作を可能にし、電源スイッチ９をＯＮ操作して紙幣処理装置１に電源を投入する。
【００３８】
電源の投入作業が終了すると、有資格者は、筺体２内に紙幣ユニット３が収納されたままの紙幣処理装置１を解錠状態とした錠７を、所持する鍵により回して施錠し、紙幣処理装置１の運用を開始する。
この場合において、紙幣ユニット３を引出して点検作業等を行った場合は、その作業の終了後に、紙幣ユニット３を筐体２内に押込んで収納した後に、前記施錠操作を行い、紙幣処理装置１の運用を開始する。
【００３９】
この施錠操作のときに、有資格者がスイッチカバー２２を手動により閉位置に回動させて施錠操作を行うと、その施錠操作に伴う錠７の回動力によって押え具２１の係合部２１ａが連結部２１ｂを介して係合位置に回動し、その先端が第２の開口部２０ｂを介して閉位置にあるスイッチカバー２２の係合穴２２ｂに係合し、電源スイッチ９は、スイッチカバー２２により外側から隔離され、顧客等の一般人は電源スイッチ９に触れることができないため、意図しない電源スイッチ９の操作による電源の遮断または投入が防止される。
【００４０】
また、本実施例のスイッチカバー２２は、閉位置において、錠７により係合位置にロックされた押え具２１の先端が係合穴２２ｂに係合して、開作動方向および閉作動方向への回動が制限されているので、スイッチカバー２２に手をつく等により比較的強い外力が加わったとしても、スイッチカバー２２が回動してしまうことはなく、意図しない電源スイッチ９の操作による電源の遮断または投入が防止される。
【００４１】
更に、本実施例のスイッチカバー２２は、その上部の中央部に設けられた回転支点２２ａにより回動可能に支持されているので、閉位置に回動したスイッチカバー２２は、自重により閉位置に停止した状態で安定するため、第２の開口部２０ｂと嵌合穴２２ｂとの位置合わせが不要になり、押え具２１の先端を迅速に係合穴２２ｂに係合させることができると共に、電源スイッチ９の覆い忘れを防止することができる。
【００４２】
終業時等において電源を遮断する場合、有資格者は、所持する鍵によって紙幣処理装置１を施錠状態とした錠７を回して解錠し、その解錠操作に伴う回動力によって押え具２１を退避位置に回動させて、スイッチカバー２２の手動による開作動を可能にし、電源スイッチ９をＯＦＦ操作して紙幣処理装置１の電源を遮断する。
そして、電源の遮断作業が終了すると、有資格者は、紙幣ユニット３を正面側から押込んで、紙幣ユニット３を筺体２内に収納し、所持する鍵によって紙幣処理装置１を解錠状態とした錠７を回して施錠し、紙幣処理装置１の運用を停止させる。
【００４３】
このとき、上記したように、本実施例のスイッチカバー２２は、押え具２１の先端を係合穴２２ｂに係合させて閉位置に停止しているため、意図しない電源スイッチ９の操作による電源の遮断または投入が防止される。
なお、本実施例の紙幣処理装置１のジャム発生時における保守作業や、紙幣の補充作業または回収作業を行う場合は、錠７の鍵を所持する有資格者が、周囲への顧客等の立入りを制限して作業を行うので、意図しない電源スイッチ９の操作による電源の遮断または投入が行われることはない。
【００４４】
以上説明したように、本実施例では、筐体２から紙幣ユニット３を引出すときの錠７の解錠操作に連動させてスイッチカバー２２の開作動を可能にし、筐体２に紙幣ユニット３を収納したときの錠７の施錠操作に連動させてスイッチカバー２２の開作動を制限するので、紙幣処理装置１の運用時における電源スイッチ９の操作ができなくなり、意図しない電源スイッチ９の操作を防止することができると共に、紙幣処理装置１の運用効率の向上を図ることができる。
【００４５】
また、錠７の解錠操作に連動させて、紙幣ユニット３を筐体２内に収納したままスイッチカバー１２の開閉を可能にするので、例えば、始業時の電源の投入時や、終業時の電源の遮断時等の、紙幣ユニット３の出し入れを伴わずに行う電源の投入作業や遮断作業を容易にして、電源スイッチ９の操作を行う有資格者の負担を軽減することができる。
なお、上記各実施例においては、自動取引装置として、紙幣を取扱う紙幣処理装置を例に説明したが、硬貨を取扱う硬貨処理装置や、紙幣および硬貨を取扱う現金処理装置等に本発明を適用しても、上記と同様の効果を得ることができる。
【符号の説明】
【００４６】
１    紙幣処理装置
２    筐体
２ａ  上板
２ｂ  底板
２ｃ  側板
２ｄ  裏板
３    紙幣ユニット
４    切欠部
５    スライドレール
６    フロントパネル
６ａ  突出部
７    錠
８    電源部
９    電源スイッチ
１０  開口部
１２、２２  スイッチカバー
１２ａ、２２ａ  回転支点
１２ｂ  支持ポスト
１２ｃ  係止面
１３  バネ部材
１４  ストッパ
２０ａ  第１の開口部
２０ｂ  第２の開口部
２１  押え具
２１ａ  係合部
２１ｂ  連結部
２２ｂ  係合穴
【図１】
2016224876.tif 000003
【図２】
2016224876.tif 000004
【図３】
2016224876.tif 000005
【図４】
2016224876.tif 000006